(57)【要約】【課題】簡易な構成で、かつ大量の洗浄液を用いることなくスケールを除去できる加湿器を提供する。【解決手段】ポンプ２２の駆動によって、洗浄液回収タンク２４内の洗浄液４０がフレキシブルチューブ２６を介して吸引され、洗浄液流出部２１、２１１内に導入される。洗浄液流出部２１、２１１内に導入された洗浄液４０は、複数の穴から滴下され、ディスク９の露出面のうち貯水槽内の水面に向かう露出面に添加される。その洗浄液４０によってディスク９の露出面に付着されたスケールは、その露出面に添加された洗浄液４０によって溶解する。そして、その洗浄液４０は、洗浄液流出部２１、２１１より下方に配置された洗浄液収集部２３、２３１により拭い取られ、洗浄液収集部２３、２３１の溝部を通って洗浄液回収タンク２４に流れ込み回収される。【選択図】図３
2011027377.tif 000002
【特許請求の範囲】
【請求項１】
給水タンク及び該給水タンクからの水を蓄える貯水槽と、
同一中心軸を中心としてその中心軸方向に一部が前記貯水槽内の水に浸されて配置され、回転駆動部により回転したときに前記貯水槽内の水を掻き上げるリング状のディスクと、
前記ディスクのリング内に配置され、空気を吸引して前記ディスクにより掻き上げられた水を気化させて排出する送風機と、
前記回転駆動部により回転する前記ディスクの前記貯水槽内の水面上の表面（以下、「露出面」という）に洗浄液を添加し、前記ディスクに付着されたスケールを除去するスケール除去装置と
を備えたことを特徴とする加湿器。
【請求項２】
前記スケール除去装置は、
前記ディスクの露出面のうち前記貯水槽内の水面に向かう露出面に洗浄液を添加する洗浄液供給部と、
前記洗浄液供給部によって前記ディスクの露出面に添加された洗浄液を当該露出面が前記貯水槽内の水に浸される前に回収する洗浄液回収部と
を備えていることを特徴とする請求項１記載の加湿器。
【請求項３】
前記洗浄液供給部を駆動して前記洗浄液回収部により回収された洗浄液を吸引させ、洗浄液を循環させる制御部を備えていることを特徴とする請求項１又は２記載の加湿器。
【請求項４】
前記制御部は、前記スケール除去装置により前記ディスクに付着されたスケールが除去されているときに、前記送風機の駆動を停止することを特徴とする請求項３記載の加湿器。
【請求項５】
前記制御部は、前記スケール除去装置により前記ディスクに付着されたスケールが除去されているときに、前記送風機の回転速度を加湿運転のときの回転速度より低くすることを特徴とする請求項３記載の加湿器。
【請求項６】
前記給水タンクあるいは前記貯水槽内の水位を検出する水位検出部を備え、
前記制御部は、前記水位検出部により検出された水位が所定値以下のときに、前記ディスクのスケール洗浄の旨を報知し、予め設定されたスイッチのオン操作を検知したときに前記洗浄液供給部を駆動して、前記ディスクの露出面のうち前記貯水槽内の水面に向かう露出面に洗浄液を添加させることを特徴とする請求項３乃至５の何れかに記載の加湿器。
【請求項７】
前記制御部は、前記ディスクのスケール洗浄の旨を報知した際、前記洗浄液供給部を駆動して、前記ディスクの露出面のうち前記貯水槽内の水面に向かう露出面に洗浄液を添加させることを特徴とする請求項６記載の加湿器。
【請求項８】
前記制御部は、前記洗浄液供給部を駆動した際、前記ディスクの回転速度を加湿運転のときの回転速度より低くすることを特徴とする請求項６又は７記載の加湿器。
【請求項９】
前記制御部は、前記洗浄液供給部を駆動した際、前記ディスクの回転方向が加湿運転のときの回転方向と逆になるようにすることを特徴とする請求項６又は７記載の加湿器。
【請求項１０】
前記洗浄液供給部は、前記ディスクの露出面の径方向に延びて設けられ、前記ディスクの露出面のうち前記貯水槽内の水面に向かう露出面に洗浄液を滴下する洗浄液流出部を備えていることを特徴とする請求項２乃至９の何れかに記載の加湿器。
【請求項１１】
前記洗浄液供給部は、前記ディスクの露出面の径方向に延びて設けられた塗布部材を有し、前記ディスクの露出面のうち前記貯水槽内の水面に向かう露出面に前記塗布部材を介して洗浄液を塗布する洗浄液流出部を備えていることを特徴とする請求項２乃至９の何れかに記載の加湿器。
【請求項１２】
前記洗浄液供給部は、前記ディスクの露出面のうち前記貯水槽内の水面に向かう露出面に洗浄液を霧状に散布する洗浄液流出部を備えていることを特徴とする請求項２乃至９の何れかに記載の加湿器。
【請求項１３】
前記洗浄液回収部は、前記ディスクの露出面の径方向に延びて設けられ、前記洗浄液供給部によって前記ディスクの露出面に添加された洗浄液を拭い取って収集する洗浄液収集部を備えていることを特徴とする請求項２乃至１２の何れかに記載の加湿器。
【請求項１４】
前記洗浄液回収部は、前記ディスクの露出面の径方向に延びて設けられた吸収部材を有し、前記洗浄液供給部によって前記陰極の露出面に添加された洗浄液を前記吸収部材により吸収して収集する洗浄液収集部を備えていることを特徴とする請求項２乃至１２の何れかに記載の加湿器。
【請求項１５】
前記制御部は、加湿運転を行っている間、前記洗浄液供給部および前記洗浄液回収部を駆動して、前記洗浄液流出部と前記洗浄液収集部を前記ディスクの露出面から離していることを特徴とする請求項１３又は１４記載の加湿器。
【請求項１６】
前記請求項１乃至１５の何れかに記載の加湿器を備えていることを特徴とする空気調和機。
【発明の詳細な説明】
【技術分野】
【０００１】
本発明は、例えば、複数のディスクを回転させて貯水槽内の水を掻き上げ、その水を送風機で気化させる加湿器に係わり、さらに詳しくは、その複数のディスクに付着されたスケールを除去するスケール除去装置を備えた加湿器及びこれを備えた空気調和機に関するものである。
【背景技術】
【０００２】
従来、電極表面に生成されたスケールを洗浄する方法として、両電極が存在する反応槽にクエン酸などの洗浄薬剤を水中に溶解させて導入し、電極間に生成されたスケールを洗浄する方法がある（例えば、特許文献１）。
【先行技術文献】
【特許文献】
【０００３】
【特許文献１】特開２０００−１８９９７５号公報（要約書、図１）
【発明の概要】
【発明が解決しようとする課題】
【０００４】
前述した従来の技術では、貯水槽を洗浄薬剤で満たし、電極を浸漬させる必要があるため、大量の洗浄薬剤を要する。貯水槽に添加された洗浄薬剤は、貯水槽の水あるいは水含有物と混合するため、貯水槽内が洗浄薬剤由来の物質で汚染される可能性や、水あるいは水含有物の電気伝導度が変化することで活性酸素種の生成や電気分解を行うといった本来の目的の効率を低下させる可能性がある。そのため、洗浄薬剤を排出する経路を別に設けるなどして、洗浄薬剤を拡散させる措置を設ける必要があるという課題があった。
【０００５】
本発明は、前記のような課題を解決するためになされたもので、第１の目的は、簡易な構成で、かつ大量の洗浄液を用いることなくスケールを除去できる加湿器及びこれを備えた空気調和機を得るものである。
第２の目的は、貯水槽内の水が洗浄液で汚染されないようにする加湿器及びこれを備えた空気調和機を得るものである。
【課題を解決するための手段】
【０００６】
本発明に係る加湿器は、給水タンク及び該給水タンクからの水を蓄える貯水槽と、同一中心軸を中心としてその中心軸方向に一部が貯水槽内の水に浸されて配置され、回転駆動部により回転したときに貯水槽内の水を掻き上げるリング状のディスクと、ディスクのリング内に配置され、空気を吸引して前記ディスクにより掻き上げられた水を気化させて排出する送風機と、回転駆動部により回転するディスクの貯水槽内の水面上の表面（以下、「露出面」という）に洗浄液を添加し、ディスクに付着されたスケールを除去するスケール除去装置とを備えたものである。
【発明の効果】
【０００７】
本発明においては、回転駆動部により回転するディスクの貯水槽内の水面上の表面に洗浄液を添加し、ディスクに付着されたスケールを除去するスケール除去装置を備えたので、大量の洗浄液を用いることなくディスクに付着されたスケールを除去でき、ディスクの劣化を最小限に抑えることができる。また、洗浄液を繰り返し使用することが可能になり、貯水槽７内の水１０が洗浄液で汚染されるということがなくなる。
【図面の簡単な説明】
【０００８】
【図１】本発明の実施の形態１に係る加湿器の外観を示す斜視図である。
【図２】図１の加湿器の前面を取り外して示す斜視図である。
【図３】実施の形態１に係る加湿器のスケール除去装置の概略構成を示す模式図である。
【図４】図３の洗浄液収集部を軸方向から見て示す断面図である。
【図５】図４に示すディスク間の洗浄液流出部及び洗浄液収集部を軸方向から見て示す断面図である。
【図６】実施の形態１の加湿器における送風機の通常運転とスケール洗浄運転のときの回転速度の変化を示す図である。
【図７】実施の形態１の他の形態の加湿器における送風機の通常運転とスケール洗浄運転のときの回転速度の変化を示す図である。
【図８】本発明の実施の形態２に係る加湿器のディスクを正面から見て示す模式図である。
【図９】図８に示す洗浄液流出部を軸方向から見て示す断面図である。
【図１０】本発明の実施の形態３に係る加湿器のディスクを正面から見て示す模式図である。
【図１１】図１０に示す洗浄液流出部を軸方向から見て示す断面図である。
【発明を実施するための形態】
【０００９】
以下、本発明の加湿器の実施の形態について図面を用いて説明する。
実施の形態１．
図１は本発明の実施の形態１に係る加湿器の外観を示す斜視図、図２は図１の加湿器の前面を取り外して示す斜視図、図３は実施の形態１に係る加湿器のスケール除去装置の概略構成を示す模式図、図４は図３の洗浄液収集部を軸方向から見て示す断面図、図５は図４に示すディスク間の洗浄液流出部及び洗浄液収集部を軸方向から見て示す断面図である。
【００１０】
実施の形態１に係る加湿器は、例えば図１及び図２に示すように、外観が直方体状に形成された本体ケース１と、本体ケース１の前面に設けられた円形状の空気吸入口４と、本体ケース１の左側の上部角部に設けられた加湿空気排出口５と、本体ケース１の背面に着脱自在に装着され上部に取っ手３を有する給水タンク２と、本体ケース１の上面に設けられた操作パネル６と、本体ケース１内の底部に設けられた上部開口の貯水槽７と、給水タンク２あるいは貯水槽７の何れかに設けられた水位検出部（例えば静電容量式水位センサー）と、同一中心軸を中心としてその中心軸方向に配置され（図３参照）、一部が貯水槽７内の水に浸された複数のリング状のディスク９と、複数のディスク９のリング内に配置された送風機８と、図示していないが、複数のディスク９、送風機８、後述するスケール除去装置などの運転を制御する制御部とを備えている。前述の複数のディスク９は、例えば樹脂製よりなり、回転駆動部であるモーター及び回転機構部によって回転するように構成されている。なお、制御部については、加湿器の動作を説明するときに詳述する。
【００１１】
前述したスケール除去装置は、各ディスク９の露出面のうち貯水槽７内の水面に向かう露出面に洗浄液４０を添加する洗浄液供給部と、洗浄液供給部によって各ディスク９の露出面に添加された洗浄液４０をその露出面が貯水槽７内の水１０に浸される前に回収する洗浄液回収部とを備えている。その洗浄液供給部と洗浄液回収部とにより、回転駆動部によって回転する各ディスク９の表面に付着されたスケールが溶解され、洗浄液４０と共に回収される。
【００１２】
スケール除去装置の洗浄液供給部は、図３に示すように、ディスク９の露出面の径方向に延びて設けられ、端部が支持軸２７に固定された洗浄液流出部２１、２１１と、洗浄液流出部２１、２１１と例えばフレキシブルチューブ２６を介して連結されたポンプ２２と、支持軸２７を回動可能に構成された機構部及びその機構部を駆動するモーター（図示せず）とで構成されている。
【００１３】
前述の洗浄液流出部２１は、本体ケース１を前面から見て手前のディスク９と奧のディスク９の裏側の露出面に配置される。その洗浄液流出部２１は、軸方向から見て例えばほぼ四辺形に形成され、その中にポンプ２２からの洗浄液４０を導入させる導入路が設けられ、ディスク９の片側の露出面に洗浄液４０を滴下する複数の穴が軸方向に設けられている。
【００１４】
また、洗浄液流出部２１１は、ディスク９の間に挿入され、例えば図５に示すように、軸方向から見てほぼ四辺形に形成され、その中にポンプ２２からの洗浄液４０を導入させる導入路が設けられている。さらに、その導入路の両側壁には、両側のディスク９の各片側の露出面に洗浄液４０を滴下する複数の穴２１１ａが軸方向に設けられている。ポンプ２２は、後述する洗浄液回収タンク９と連結されている。
【００１５】
スケール除去装置の洗浄液回収部は、図３に示すように、ディスク９の露出面の径方向に延びて設けられ、端部が支持軸２８に固定された例えばゴム製の洗浄液収集部２３、２３１と、洗浄液収集部２３、２３１と例えばフレキシブルチューブ２５を介して連結された洗浄液回収タンク２４と、支持軸２８を回動可能に構成された機構部及びその機構部を駆動するモーター（図示せず）とで構成されている。
【００１６】
前述の洗浄液収集部２３は、本体ケース１を前面から見て手前のディスク９と奧のディスク９の裏側に配置される。その洗浄液収集部２３は、例えば図４に示すように上部に長手方向に延びる溝部２３ａが設けられている。この溝部２３ａのディスク９側の側壁は、ディスク９の片側の露出面に滴下された洗浄液４０を拭い取り易いようにディスク９側に傾斜する傾斜面が形成されている。
【００１７】
また、洗浄液収集部２３１は、ディスク９の間に挿入され、例えば図５に示すように、軸方向から見て上部に長手方向に延びる溝部２３１ａが設けられている。この溝部２３１ａの両側壁は、各ディスク９の片側の露出面に滴下された洗浄液４０を拭い取り易いようにディスク９側にそれぞれ傾斜する傾斜面が形成されている。
【００１８】
前述したスケールは、水中に存在するカルシウムなどが結晶化した物質で、各ディスク９の両面に付着される。洗浄液４０は、クエン酸やアスコルビン酸、アミノ酸、酢酸など水中では水素イオンを放出して、酸性の様相を呈する薬剤、あるいはスケールの元となる成分を化学的に結合する薬剤である。
【００１９】
また、洗浄液４０として液体のみだけでなく気体や固体のいずれの状態であってもよい。固体の場合は、貯水槽７内の水などを利用して溶解することで利用が可能となる。また、レモンなどの柑橘植物を自動的に絞ることで、その植物液を利用することも可能とする。なお、柑橘植物とはミカン科のミカン科・ミカン亜科のカンキツ属（Citrus）、キンカン属（Fortunella）、カラタチ属（Poncirus）に属する植物を指し、これら以外も含めてミカン亜科植物３３属を含めたものを指す。
【００２０】
次に、実施の形態１の加湿器の動作について図６を参照しながら説明する。
図６は実施の形態１の加湿器における送風機の通常運転とスケール洗浄運転のときの回転速度の変化を示す図である。
制御部は、操作パネル６に設けられた加湿運転（通常運転）開始のスイッチオンを検知すると、図７に示すように送風機８が所定の回転速度で駆動するように制御すると共に、回転駆動部を駆動して複数のディスク９を回転させる。この時、送風機８によって室内の空気が空気吸入口４から本体ケース１内に吸引され、ディスク９の回転により貯水槽７内の水１０が掻き上げられる。その掻き上げられた水１０は、吸引された空気によって気化され、加湿空気排出口５から室内に放出される。
【００２１】
制御部は、加湿運転を行った後、周期的に水位検出部により検出された例えば貯水槽７内の水位が所定値以下になったかどうかを判定する。制御部は、水位検出部により検出された水位が所定値以下になると、ディスク９のスケール洗浄の旨を操作パネル９を介して報知する。この報知は、例えばＬＥＤを点滅すると共に、ブザーあるいは音声にて知らせる。制御部は、その報知を行った後に、予め設定されたスイッチのオン操作を検知したときは、図６に示すように送風機８の駆動を停止する。そして、支持軸２７、２８をディスク９側に回転させて洗浄液流出部２１、２１１と洗浄液収集部２３、２３１とを所定位置まで持って行く。そして、制御部は、洗浄液供給部のポンプ２２を駆動する。
【００２２】
ポンプ２２が駆動されると、洗浄液回収タンク２４内の洗浄液４０が吸引され、フレキシブルチューブ２６を介して洗浄液流出部２１、２１１内に導入される。洗浄液流出部２１内に導入された洗浄液４０は、複数の穴から滴下され、手前と奧のディスク９の片側の露出面に添加される。また、洗浄液流出部２１１内に導入された洗浄液４０は、両側に設けられた複数の穴２１１ａからそれぞれ滴下され、両側に配置されたディスク９の露出面に添加される。この時、各ディスク９に付着されたスケールは、露出面に添加された洗浄液３０によって溶解する。そして、その洗浄液３０は、洗浄液流出部２１、２１１より下方に配置されたそれぞれの洗浄液収集部２３、２３１により拭い取られ、各洗浄液収集部２３、２３１に設けられた溝部２３ａ、２３１ａに流れ込む。そして、その洗浄液４０はフレキシブルチューブ２５を介して洗浄液回収タンク２４に回収される。これにより、洗浄液４０は、ポンプ２２の駆動中に循環され、ディスク９に付着されたスケールの溶解を行う。
【００２３】
一方、制御部は、例えばポンプ２２を駆動してから所定時間を経過したかどうかを判定しており、所定時間を経過したきは、スケールの洗浄が終了したものと判定して、先ず、ポンプ２２の駆動を停止して洗浄液４０の供給を停止する。次いで、支持軸２７を先の回転方向と逆の方向に回転させて洗浄液流出部２１、２１１をディスク９から離す。次いで、支持軸２８を前記と同様に同じ方向に回転させて洗浄液収集部２３、２３１を離す。洗浄液流出部２１、２１１と洗浄液収集部２３、２３１とが、図３（ｂ）に示すように、直立状態になるまでそれぞれの支持軸２７、２８を回転させる。その後、制御部は、停止した送風機８を駆動して再び加湿が行われるようにする。
【００２４】
以上のように実施の形態１においては、洗浄液回収タンク２４内の洗浄液４０をポンプ２２の駆動により吸引し、洗浄液流出部２１、２１１から滴下して貯水槽７内の水面に向かうディスク９の露出面に添加し、その露出面に添加された洗浄液４０を洗浄液収集部２３、２３１により拭い取って洗浄液回収タンク２４に回収させる構成である。そのため、簡易な構成で、かつ大量の洗浄液４０を用いることなくディスク９に付着されたスケールを除去でき、ディスク９の劣化を最小限に抑えることができる。また、洗浄液４０を繰り返し使用することが可能になり、貯水槽７内の水１０が洗浄液３０で汚染されるということがなくなる。
さらに、実施の形態１においては、スケール洗浄を行う際、送風機８の駆動を停止するようにしたので、洗浄液４０の飛散を防止できる。また、加湿運転を行っているとき洗浄液流出部２１、２１１と洗浄液収集部２３、２３１とをディスク９から離すようにしているので、ディスク９と接触する洗浄液収集部２３、２３１の摩耗を抑制することができる。
【００２５】
なお、実施の形態１では、スケール洗浄を行う際、送風機８の駆動を停止するようにしたが、図７に示すように送風機８の回転速度を加湿運転のときの回転速度より低くするようにしても良い。送風機８の回転速度の低下は、洗浄液４０が飛散しない程度の速度である。この場合、スケール洗浄を行っていても加湿運転を停止することなく継続することが可能になる。
また、駆動水位検出部により検出された水位が所定値以下のときに、ディスク９のスケール洗浄の旨を報知し、予め設定されたスイッチのオン操作を検知したときに洗浄液供給部のポンプ２２を駆動するようにしたが、スケール洗浄の旨を報知した際、自動的に洗浄液供給部のポンプ２２を駆動するようにしても良い。
【００２６】
さらに、実施の形態１では、スケール洗浄に入った際、ディスク９の回転速度を変えないようにしたが、ディスク９の回転速度を加湿運転のときの回転速度より低くなるようにしても良いし、また、スケール洗浄に入った際、ディスクの回転方向が加湿運転のときの回転方向と逆になるようにしても良い。このように制御した場合、ディスク９に付着されたスケールをより効率良く除去できる。
【００２７】
実施の形態２．
実施の形態１では、ディスク９の露出面に洗浄液４０を滴下するようにしたが、実施の形態２は、ディスク９の露出面に洗浄液４０を塗布するようにしたものである。
図８は本発明の実施の形態２に係る加湿器のディスクを正面から見て示す模式図、図９は図８に示す洗浄液流出部を軸方向から見て示す断面図である。なお、図１乃至図５で説明した実施の形態１と同様の部分には同じ符号を付している。
【００２８】
図８において、加湿器の洗浄液供給部は、各ディスク９の露出面の径方向に延びて設けられた塗布部材３１を有し、各ディスク９の露出面のうち貯水槽２４内の水面に向かう露出面に塗布部材３１を介して洗浄液４０を塗布する洗浄液流出部３０と、実施の形態１と同様に洗浄液流出部３０とフレキシブルチューブ２６を介して連結されたポンプ２２とで構成されている。
【００２９】
洗浄液流出部３０は、基部側が回動可能な支持軸２７に固定され、本体ケース１を前面から見て手前のディスク９と奧のディスク９の裏側の露出面に配置されると共に、ディスク９の間に挿入される。その洗浄液流出部３０は、例えば図９に示すように、直方体状の塗布部材３１の上下及び前後を囲むようにリング状に形成され、その中にポンプ２２からの洗浄液４０を導入させる導入路が設けられている。また、洗浄液流出部３０の塗布部材３１側の面には、導入路内を流れる洗浄液４０を塗布部材３１に流出させる複数の穴３０ａが設けられている。塗布部材３１には、ディスク９の表面を傷つけない程度に柔らかく、かつ変形自在な物質、例えばスポンジのようなものが使用されている。
【００３０】
洗浄液流出部３０にポンプ２２からの洗浄液４０がフレキシブルチューブ２６を介して流入すると、洗浄液４０は、洗浄液流出部３０の導入路内に流れ込んで複数の穴３０ａから流出し、塗布部材３１に吸収される。この塗布部材３１により、ディスク９の露出面のうち貯水槽２４内の水面に向かう露出面に洗浄液４０が塗布される。ディスク９の露出面に塗布された洗浄液４０は、洗浄液流出部３０より下方に配置された洗浄液収集部２３、２３１により拭い取られ、洗浄液収集部２３、２３１の溝部２３ａ、２３１ａを通って洗浄液回収タンク９に流れ込み回収される。
【００３１】
以上のように、洗浄液流出部３０により囲まれた塗布部材３１がディスク９の露出面に直接接触しているため、洗浄液４０によるスケールの物理的な脱離効果を期待できる。
【００３２】
なお、実施の形態２では、洗浄液流出部３０の塗布部材３１に洗浄液４０を吸収させ、その洗浄液４０をディスク９の露出面に塗布するようにしたが、洗浄液４０をディスク９の露出面に霧状に吹き付けるようにしても良い。例えば実施の形態１で述べた洗浄液流出部２１１の側壁に設けられた複数の穴の位置にそれぞれノズルを設けて、そのノズルから霧状の洗浄液４０を噴射しディスク９の露出面に吹き付ける。
【００３３】
実施の形態３．
前述した実施の形態１、２では、ディスク９の露出面に添加された洗浄液４０を洗浄液収集部２３、２３１で拭い取るようにしたが、実施の形態３は、その洗浄液４０を吸収するようにしたものである。
図１０は本発明の実施の形態３に係る加湿器のディスクを正面から見て示す模式図、図１１は図１０に示す洗浄液流出部を軸方向から見て示す断面図である。なお、図１乃至図５で説明した実施の形態１と同様の部分には同じ符号を付している。
【００３４】
図７において、加湿器の洗浄液回収部は、ディスク９の露出面の径方向に延びて設けられた吸収部材３３を有し、ディスク９の露出面に添加された洗浄液４０を吸収部材３３により吸収して収集する洗浄液収集部３２と、実施の形態１と同様に洗浄液収集部３２とフレキシブルチューブ２５を介して連結された洗浄液回収タンク２４とで構成されている。
【００３５】
洗浄液収集部３２は、基部側が回動可能な支持軸２８に固定され、本体ケース１を前面から見て手前のディスク９と奧のディスク９の裏側の露出面に配置されると共に、ディスク９の間に挿入される。その洗浄液収集部３２は、例えば図１１に示すように、直方体状の吸収部材３３の上下及び前後を囲むようにリング状に形成され、そのリング部分のうち吸収部材３３の下部側に洗浄液４０を収集してフレキシブルチューブ２５に導く溝部３２ａが設けられている。吸収部材３３には、ディスク９の表面を傷つけない程度に柔らかく、かつ変形自在な物質が使用されている。
【００３６】
以上のように、洗浄液流出部２１によってディスク９の露出面に添加された洗浄液４０を変形自在な吸収部材３３で吸収するようにしたので、ディスク９の露出面に多少の凹凸があっても密接して洗浄液３０をより効果的に拭い取ることができる。
【００３７】
実施の形態１乃至３では、スケール除去装置を備えた加湿器について説明したが、加湿器を備えた空気調和機に適用しても良い。つまり、空気調和機に内蔵された加湿器にスケール除去装置を設けて、複数のディスクに付着されるスケールを洗浄するようにしても良い。また、実施の形態１乃至３では、複数のディスク９で貯水槽７内の水を掻き上げて送風機８で気化させる加湿器について述べたが、電極反応を利用した水殺菌装置の電極表面や、加湿用のフィルタや除湿用のフィルタなど種々の空気調和機にも適用することも可能である。
【符号の説明】
【００３８】
１  本体ケース、２  給水タンク、３  取っ手、４  空気吸入口、５  加湿空気排出口、６  操作パネル、７  貯水槽、８  送風機、９  ディスク、２１，２１１  洗浄液流出部、２１１ａ  穴、２２  ポンプ、２３、２３１  洗浄液収集部、２３ａ  溝部、
２３１ａ  溝部、２４  洗浄液回収タンク、２５，２６  フレキシブルチューブ、２７，２８  支持軸、３０  洗浄液収集部、３０ａ  穴、３１  塗布部材、３２  洗浄液収集部、３２ａ  溝部、３３  吸収部材、４０  洗浄液。
【図１】
2011027377.tif 000003
【図２】
2011027377.tif 000004
【図３】
2011027377.tif 000005
【図４】
2011027377.tif 000006
【図５】
2011027377.tif 000007
【図６】
2011027377.tif 000008
【図７】
2011027377.tif 000009
【図８】
2011027377.tif 000010
【図９】
2011027377.tif 000011
【図１０】
2011027377.tif 000012
【図１１】
2011027377.tif 000013